(57)【要約】【課題】紐類の容易に、切断面をきれいに切断し、両面テープの剥離紙をハーフカットすることができるハサミおよびその製造方法を提供する。【解決手段】一対のハサミ体１２，１４の開閉自在に軸支させてなるハサミにおいて、一方のハサミ体１２を略Ｌ字型に屈曲させ、このＬ字型の底辺部１６に載置台１８を配設させ、他方のハサミ体１４に刃体２０を装着させ、ハサミ閉塞時に、刃体２０の刃先と載置台１８とが平行となるように、刃体２０を両ハサミ体１２，１４の軸支点Ｏより下方に位置させて、両ハサミ体１２，１４を軸支させたことを特徴とする。【選択図】            図１
2005000243.tif 000002
【特許請求の範囲】
【請求項１】
一対のハサミ体（１２），（１４）を開閉自在に軸支させてなるハサミにおいて、
一方のハサミ体（１２）を軸支点（Ｏ）  から先端に向けて略Ｌ字型に屈曲させ、
このハサミ体（１２）のＬ字の底辺部（１６）に、載置台（１８）を配設させ、
他方のハサミ体（１４）に刃体（２０）を装着させ、
ハサミ閉塞時に、刃体（２０）の刃先と載置台（１８）とが平行となるように、刃体（２０）を両ハサミ体（１２），（１４）の軸支点（Ｏ）  より下方に位置させて、両ハサミ体（１２），（１４）  を軸支させたことを特徴とするハサミ。
【請求項２】
ハサミ閉塞時に、刃体（２０）の刃先と載置台（１８）とを密着させた状態とすることにより、ロープ、ホース等の紐類（５８）を切断可能としたことを特徴とする請求項１記載のハサミ。
【請求項３】
一方のハサミ体（１２）に配設させた載置台（１８）の長さ方向の両側にラベル案内ガイド（３０）を配設させ、
ハサミ閉塞時に、刃体（２０）の刃先と載置台（１８）との間に所定間隔（ｄ）  を保持させることにより、ラベル（４４）の剥離紙（４６）またはテープ層（４８）のみを切断することを特徴とする請求項１記載のハサミ。
【請求項４】
一方のハサミ体（１２）を軸支点（Ｏ）  から先端に向けて略Ｌ字型に屈曲させ、
他方のハサミ体（１４）を略直線状とし、
一方のハサミ体（１２）のＬ字の底辺部（１６）に、載置台（１８）を、
他方のハサミ体（１４）に、刃体（２０）を、ハサミ閉塞状態において軸支点（Ｏ）  より下方に位置させて、それぞれ仮止めし、
両ハサミ体（１２），（１４）を閉塞させて、刃体（２０）の刃先と載置台（１８）とが密着状態となるように調整した上、載置台（１８）および刃体（２０）を各ハサミ体（１２），（１４）に固定することにより、
閉塞時に、ロープ、ホース等の紐類（５８）を切断可能としたハサミを製造することを特徴とするハサミの製造方法。
【請求項５】
一方のハサミ体（１２）を軸支点（Ｏ）  から先端に向けて略Ｌ字型に屈曲させ、
他方のハサミ体（１４）を略直線状とし、
一方のハサミ体（１２）のＬ字の底辺部（１６）に、載置台（１８）を、
他方のハサミ体（１４）に、刃体（２０）を、ハサミ閉塞状態において軸支点（Ｏ）  より下方に位置させて、それぞれ仮止めし、
両ハサミ体（１２），（１４）を閉塞させて、刃体（２０）の刃先と載置台（１８）との間に所定間隔（ｄ）  を保持した状態となるように調整した上、載置台（１８）および刃体（２０）を各ハサミ体（１２），（１４）に固定した後、
一方のハサミ体（１２）に、載置台（１８）の長さ方向の両側にラベル案内ガイド（３０）を形成させてなる下部カバー体（３２）を、
他方のハサミ体（１４）に、刃体（２０）の刃先を除く他の部分を隠蔽する上部カバー体（３４）を、
それぞれ被設させることにより、
閉塞時に、ラベル（４４）の剥離紙（４６）またはテープ層（４８）のみを切断するハサミを製造することを特徴とするハサミの製造方法。
【発明の詳細な説明】
【０００１】
【発明の属する技術分野】
本発明は、ロープ、ホース等の紐類、表面に文字、絵、等を印刷したラベルの剥離紙またはテープ層、あるいはポスター等の印刷掲示物を壁面等に止着させるために止着具として使用する両面テープの剥離紙、等を切断することができるハサミおよびその製造方法に関するものである。
【０００２】
【従来の技術】
従来、印刷テープと剥離紙とを積層させたラベルの印刷テープ表面に文字等を印刷して所定長にカットし、書類、ファイル等の表面に貼付するラベルを製作するラベル印刷装置が種々販売されている。
【０００３】
このラベル印刷装置には、印刷されたラベルの剥離紙を剥がし易くするため、カッタ刃を上下方向に移動させ、ラベルの剥離紙のみを切断するハーフカッタが装備されていた（例えば、特許文献１参照）。
【０００４】
また、印刷されたラベルの角隅部等を切断（トリミング）するためのトリミング用ハサミもあった（例えば、特許文献２参照）。
【０００５】
さらに、各種容器のリサイクルを容易とするため、例えば酢、醤油等のビンにおいては、ビンの上端に圧着された注ぎ口を取り外すためのハサミ（例えば特許文献３参照）、またペットボトルにおいては、ペットボトルを切断するためのハサミ（例えば特許文献４参照）があった。
【０００６】
【特許文献１】特開２００２−１０３７１２号公報（第３−１２頁、図８、９、１９−２１）
【特許文献２】特開平８−９８９６２号公報（第２−３頁、図１−４）
【特許文献３】特許第３２５２０８８号公報（第２頁、図１−４）
【特許文献４】特開２０００−１４０４６２号公報（第２−３頁、図１−７）
【０００７】
また、既存の印刷されたラベルの剥離紙、ポスター等の印刷掲示物を壁面に止着するために表面に貼付された両面テープの剥離紙、を剥がし易くするためにハーフカットする手動利器であるハサミは皆無であった。
【０００８】
また、一方のハサミ体の先端に刃先を、他方のハサミ体の先端に刃先の当接部を、それぞれ形成した剪定ハサミがあった。
【０００９】
【発明が解決しようとする課題】
従来、ラベルの剥離紙を切断する機能が装備されたラベル印刷装置は、印刷するラベルの剥離紙のみを切断（ハーフカット）することは可能であるが、既存の印刷されたラベルの剥離紙または印刷テープを切断することができなかった。
【００１０】
また、トリミング用ハサミにおいても、既存の印刷されたラベルの剥離紙または印刷テープのみを切断（ハーフカット）することができなかった。
【００１１】
また、ハーフカッタを備えたラベル印刷装置、トリミング用ハサミ、注ぎ口取り外し用ハサミおよびペットボトル切断用ハサミはいずれも、印刷掲示物を壁面等に止着させる両面テープの剥離紙を切断することはできなかった。
【００１２】
また、一方のハサミ体の先端に刃先を形成した剪定ハサミにおいては、ロープ、ホース等の紐類を切断する際、刃先が他方のハサミ体の当接部に垂直、かつ平行に当接しないため、非常に大きな力を要するばかりか、切断面（切り口）がきれい（シャープ）ではなく、そのまま使用に供することができず、切断面をサンドペーパー等の研磨具により後処理する必要があった（図１２（ロ）参照）。
【００１３】
このため、既存の印刷されたラベルの剥離紙またはテープ層、ポスター等の印刷掲示物を壁面に止着するために印刷掲示物に貼付した両面テープの剥離紙、を手軽にハーフカットするハサミ、紐類を手軽に、かつその切断面をきれい（シャープ）に切断できるハサミの開発が強く望まれている。
【００１４】
本発明は、このような要望に対処すべく、紐類を容易に、しかも切断面をきれい（シャープ）に切断することができるハサミ、既存の印刷されたラベルの剥離紙またはテープ層、あるいはポスター等の印刷掲示物に貼付された両面テープの剥離紙のみを容易にハーフカットすることができるハサミおよびその製造方法を提供することを目的とするものである。
【００１５】
【課題を解決するための手段】
本発明のハサミは、一対のハサミ体を開閉自在に軸支させてなるハサミにおいて、一方のハサミ体を軸支点から先端に向けて略Ｌ字型に屈曲させ、このハサミ体のＬ字の底辺部に、載置台を配設させ、他方のハサミ体に刃体を装着させ、ハサミ閉塞時に、刃体の刃先と載置台とが平行となるように、刃体を両ハサミ体の軸支点より下方に位置させて、両ハサミ体を軸支させたことを特徴とするもの、または、ハサミ閉塞時に、刃体の刃先と載置台とを密着させた状態とすることにより、ロープ、ホース等の紐類を切断可能としたことを特徴とするもの、
または一方のハサミ体に配設させた載置台の長さ方向の両側にラベル案内ガイドを配設させ、ハサミ閉塞時に、刃体の刃先と載置台との間に所定間隔を保持させることにより、ラベルの剥離紙またはテープ層のみを切断することを特徴とするものである。
【００１６】
本発明の製造方法は、一方のハサミ体を軸支点から先端に向けて略Ｌ字型に屈曲させ、他方のハサミ体を略直線状とし、一方のハサミ体のＬ字の底辺部に、載置台を、他方のハサミ体に、刃体を、ハサミ閉塞状態において軸支点より下方に位置させて、それぞれ仮止めし、両ハサミ体を閉塞させて、刃体の刃先と載置台とが密着状態となるように調整した上、載置台および刃体を各ハサミ体に固定することにより、載置台に対して刃体を垂直平行に当接させ、閉塞時にロープ、ホース等の紐類を切断するハサミを製造することを特徴とするもの、
または、両ハサミ体に載置台、刃体をそれぞれ仮止めした後、両ハサミ体を閉塞させて、刃体の刃先と載置台との間に所定間隔を保持した状態となるように調整した上、載置台および刃体を各ハサミ体に固定した後、一方のハサミ体に、載置台の長さ方向の両側にラベル案内ガイドを形成させてなる下部カバー体を、他方のハサミ体に、刃体の刃先を除く他の部分を隠蔽する上部カバー体を、それぞれ被設させることにより、閉塞時に、ラベルの剥離紙またはテープ層のみを切断するハサミを製造することを特徴とするものである。
【００１７】
【発明の実施の形態】
本発明に係るハサミ、例えばラベル４４の剥離紙４６またはテープ層４８のみを切断（ハーフカット）するハサミを製造する方法を、図１〜１０に基づいて、以下に詳述する。
【００１８】
本発明におけるハサミの基本構造は、一対のハサミ体１２，１４を開閉自在に軸支させてなるものである。
【００１９】
通常の右利き用のハサミは、握る動作により親指が外側へ、他の指が内側へそれぞれ力が作用するため、親指を通す一方のハサミ体を手前側に、他の指を通す他方のハサミ体を奥側に、配して軸支させ、両ハサミ体の刃先によりこねるようにして被切断物を切断していたが、本発明においては、このこねりをなくし、後述の刃体２０の刃先（本例においてはストッパー２４）が載置部１８に垂直、かつ平行に当接するように、親指を通す一方のハサミ体１２を奥側に配し、他の指を通す他方のハサミ体１４を手前側に配して、軸支させてある（換言すれば本発明に係るハサミ体１２，１４は通常のハサミ体とは逆に配して軸支させ、全く異なった新たな発想である）。
【００２０】
一方の（親指を通す）ハサミ体１２を軸支点Ｏから先端に向けて略Ｌ字型に屈曲させて成形する。
【００２１】
他方の（他の指を通す）ハサミ体１４を略直線状に成形する。
【００２２】
本例において、両ハサミ体１２，１４は何れもステンレス板をプレス打抜加工により成形してある。
【００２３】
次に、一方のハサミ体１２のＬ字の底辺部１６に、載置台１８を、他方のハサミ体１４に、刃体２０を、ハサミ閉塞状態において両ハサミ体１２，１４の軸支点Ｏより下方に位置させて、それぞれ仮止めする。
【００２４】
本例において、載置台１８は、断面Ｌ型のステンレス板であり、刃体２０は取替え容易な安全かみそり刃、カッタ刃等の薄刃体である。
【００２５】
また、刃体２０を装着するハサミ体１４の対応個所は凹型に切欠き、この凹部２２の両側にストッパー２４が形成され、装着された刃体２０の刃先が凹部２２内に位置し、ストッパー２４により刃体２０の刃先と載置台１８との間に所定間隔ｄを保持すると共に、刃体２０の刃先が載置台１８に直接接触することを防止している。
【００２６】
この刃体２０を、ハサミ閉塞状態において両ハサミ体１２，１４の軸支点Ｏより下方に位置させ、親指を通す一方のハサミ体１２を奥側に、他の指を通す他方のハサミ体１４を手前側に配して軸支させることにより、ラベル４４の剥離紙４６またはテープ層４８のみを切断（ハーフカット）する際に、刃体２０の刃先が載置部１８側へ垂直、かつ平行に移動するため、押し切りおよび引き切りの各作用が得られる。
【００２７】
この載置台１８および刃体２０の各ハサミ体１２，１４への仮止めおよび固定（本止め）手段は、ネジ２６、ネジ孔を備えたナット２８、各ハサミ体１２，１４および刃体２０に穿孔させた通孔（図示略）によるものである。
【００２８】
この載置台１８および刃体２０を各ハサミ体１２，１４へ仮止めするのは、プレス打抜加工により各ハサミ体１２，１４および通孔が一体成形されるため、特に通孔に寸法誤差が生じ易く、この誤差を緩衝させるため、一時的に仮止めし、ハサミを閉塞させた状態とし、その誤差を調整した上、確実に固定することにより、ハーフカット精度を向上させるためである。
【００２９】
このため、ハサミ体１４への刃体２０の固定位置調整を容易とするため、固定部位の上方を開放させることが望ましい。
【００３０】
このネジ２６、ナット２８等からなる刃体２０の仮止めおよび固定（本止め）手段を採用することにより、刃体２０の交換（替刃）も容易に行うことができる。
【００３１】
次に、両ハサミ体１２，１４を閉塞させて、刃体２０の刃先と載置台１８との間に所定間隔ｄを保持した状態となるように調整した上、載置台１８および刃体２０を各ハサミ体１２，１４に固定（本止め）する。
【００３２】
この刃体２０の刃先と載置台１８との間に保持させた間隔ｄにより、刃体２０の刃先がラベル４４の剥離紙４６のみに当接し、テープ層４８にまで達することがなく、剥離紙４６のみの切断（ハーフカット）が可能となる。
【００３３】
次に、一方のハサミ体１２に、載置台１８の長さ方向の両側にラベル案内ガイド３０を形成させてなる下部カバー体３２を、他方のハサミ体１４に、刃体２０の刃先を除く他の部分を隠蔽する上部カバー体３４を、それぞれ被設させる。
【００３４】
本例において、両カバー体３２，３４は、いずれも合成樹脂により成形してあり、要所にリブ３６を形成してある。
【００３５】
また、上部カバー体３４により刃体２０が隠蔽されるため、手、指が刃体２０に触れることがなく、安全性が極めて向上する。
【００３６】
また、ラベル案内ガイド３０にアール（面取り）加工を施すことにより、切断時にラベル案内ガイド３０外周面のアール形状に沿って湾曲し、その結果不用意にラベル４４がハーフカット時に折曲がったり、損傷することがない。
【００３７】
また、両カバー体３２，３４と各ハサミ体１２，１４とは、ネジ２６およびネジ孔（図示略）を介して固着させてある。
【００３８】
上記工程により、ハーフカット用のハサミが製造される。
【００３９】
なお、図中３８は載置台１８上面に付された刃先当接部位を示す切断線、４０は両ハサミ体１２，１４を密着させることにより先端部分のこねりを防止するための当接部、４２は把手を示す。
【００４０】
本発明に係るハーフカット用のハサミにより、ラベル４４の剥離紙４６のみを切断（ハーフカット）する手順を以下に説明する。
【００４１】
まず、ラベル４４を、載置台１８上に、ラベル４４の印刷されたテープ層４８を下側に向け、一方のラベル案内ガイド３０に沿わせて載置する。
【００４２】
次に、載置台１８、下部カバー体３２をラベル４４と共に片手で把持し、把手４２を動かし、両ハサミ体１２，１４を閉塞させ、刃体２０の刃先により、ラベル４４の剥離紙４６のみを切断（ハーフカット）する（図８参照）。
【００４３】
この際、この刃体２０を、ハサミ閉塞状態において両ハサミ体１２，１４の軸支点Ｏより下方に位置させ、親指を通す一方のハサミ体１２を奥側に、他の指を通す他方のハサミ体１４を手前側に配して軸支させてあるため、刃体２０の刃先が載置部１８側へ垂直、かつ平行に移動することにより、押し切りおよび引き切りの各作用が得られ、容易、かつ確実にラベル４４の剥離紙４６のみを切断することができる。
【００４４】
また、載置台１８上面に切断線３８が付されているため、ラベル４４の剥離紙４６をハーフカットする位置を確認することができる。
【００４５】
また、載置台１８、下部カバー体３２をラベル４４と共に片手で把持するのに代えて、下部カバー体３２を机、テーブル上に設置してハーフカットすることにより、より簡易に作業を行うことができる。
【００４６】
この際、下部カバー体３２にはリブ３６が形成されているため、机、テーブル上に設置した場合、安定して設置することができるばかりか、他方のハサミ体１４の把手４２の下端部も机、テーブル上に設置されるため、ハサミを横に立てた状態のまま保管することが可能となる。
【００４７】
また、ラベル４４のテープ層４８をハーフカットする場合には、ラベル４４のテープ層４８を上側に向けて載置させて行う。
【００４８】
このハーフカット用のハサミにより、ポスター等の印刷掲示物５０の裏面側に貼付された両面テープ５２の剥離紙５４のみを切断（ハーフカット）する手順を以下に説明する。
【００４９】
載置台１８上に両面テープ５２が貼付された印刷掲示物５０を、両面テープ５２側を上方に向けて載置し、把手４２を動かし、両ハサミ体１２，１４を閉塞させ、刃体２０の刃先により両面テープ５２の剥離紙５４をハーフカットする（図１０参照）。
【００５０】
この際、刃体２０の刃先が載置部１８側へ垂直、かつ平行に移動し、押し切りおよび引き切りの各作用が得られ、容易、かつ確実に両面テープ５２の剥離紙５４のみを切断することができる。
【００５１】
加えて、ラベル案内ガイド３０にアール（面取り）加工を施してあるため、切断時にラベル案内ガイド３０外周面のアール形状に沿って湾曲し、不用意に印刷掲示物５０がハーフカット時に折曲がったり、損傷することがない。
【００５２】
このように、本発明に係るハーフカット用のハサミを使用して、既存の印刷したラベル４４の剥離紙４６またはテープ層４８のみならず、ポスター等の印刷掲示物５０を壁面に止着するために印刷掲示物５０に貼付した両面テープ５２の剥離紙５４をも、容易、かつ確実にハーフカットすることができる。
【００５３】
さらに、一方のハサミ体１２に載置台１８を、他方のハサミ体１４に刃体２０を、それぞれ仮止めし、ハサミを閉塞させて、刃体２０の刃先と載置台１８との間に所定間隔ｄを保持した状態となるように調整した上、載置台１８および刃体２０を各ハサミ体１２，１４に固定（本止め）するため、刃体２０の刃先と載置台１８との間に保持させた所定間隔ｄの精度、換言すればハーフカット精度が向上し、ラベル４４の剥離紙４６またはテープ層４８、両面テープ５２の剥離紙５４のみを確実、かつ正確にハーフカットすることができる。
【００５４】
さらにまた、ネジ２６、ナット２８等からなる仮止めおよび固定（本止め）手段により刃体２０をハサミ体１４に固定するため、刃体２０の交換（替刃）を容易に行うことができる。
【００５５】
また、図１１に本発明の別の例が示してある。
【００５６】
本例は、ハサミ閉塞時に、他方のハサミ体１４に配設した刃体２０の刃先と、一方のハサミ体１２に配設した載置台１８とを密着させた状態としたものであり、製造方法は前例と同様であるため省略する。
【００５７】
本例のハサミは、ロープ、ホース、コード等の紐類を切断する際に使用するものであり、刃体２０の刃先が、載置台１８に、垂直、かつ平行に当接するように移動するため、小さな力で紐類を切断することができるばかりか、切断面（切り口）がきれい（シャープ）であり、切断した紐類をそのまま使用に供することができ、使用性が極めて良い（図１２（イ）参照）。
【００５８】
この際、図１３に示すように、下部カバー体３２を省略し、正面において載置台１８の長さ方向の両側を上方に向けて傾斜させて傾斜部５６を形成することにより、両傾斜部５６間に紐類５８を挟持、案内させることができる。
【００５９】
また、図１４に本発明のさらに別の例が示してある。
【００６０】
本例は、第２例と同様、ハサミ閉塞時に、他方のハサミ体１４に配設した刃体２０の刃先と、一方のハサミ体１２に配設した載置台１８とを密着させた状態とするものであり、第１例の刃体２０の刃先と載置台１８との間に保持させた所定間隔ｄに対応する厚さのシール材６０を、載置台１８上に貼付させたものであり、製造方法は第１例と同様であるため省略する。
【００６１】
本例のハサミは、第２例と同様、ロープ、ホース、コード等の紐類５８を切断する際に使用するものであり、刃体２０の刃先が直接載置台１８と接触するのではなく、シール材６０を介して接触するため、刃体２０の刃先の消耗を抑止することができるばかりか、刃体２０の切れ味が悪くなった場合には、新たなシール材６０を既貼付済シール材６０の上面に貼付させて使用することにより、刃体２０の切れ味を長期にわたり持続させることが可能となる。
【００６２】
なお、全例において、一方のハサミ体１２をＬ字型に屈曲させ、このＬ字の底辺部１６に載置台１８を、他方のハサミ体１４に刃体２０を、配設させてあるが、一方のハサミ体１２のＬ字の底辺部１６に刃体２０を、他方のハサミ体１４に載置台１８を、配設させることは自明である。
【００６３】
また、載置台１８はハサミ体１２と別体であるが、一体構造とすることは自明である。
【００６４】
また、載置台１８および刃体２０の各ハサミ体１２，１４への仮止めおよび固定（本止め）手段は、ネジ２６、ネジ孔を備えたナット２８、各ハサミ体１２，１４および刃体２０に穿孔させた通孔（図示略）からなるものであるが、他の仮止め（止着、固定、調整）手段を採用することは自由である。
【００６５】
また、刃体２０は薄刃体であるが、ハサミ体１４に刃先を成形することにより、刃体２０を省略できることは自明である。
【００６６】
また、ラベル案内ガイド３０にはアール（面取り）加工を施してあるが、このアール加工を省略しても、ラベル４４の剥離紙４６を容易にハーフカットでき、またロープ、ホース等の紐類５８をも切断できることは自明である
【００６７】
また、両把手４２間の当接部位にストッパー部を形成させることは自由である。
【００６８】
また、各カバー体３２，３４を省略することにより、材料コスト、製造工程数、製造時間を大幅に短縮できることは自明である。
【００６９】
また、本発明に係るハサミは、全例の形状、構成に限定されることはない。
【００７０】
【発明の効果】
本発明に係るハサミおよびその製造方法によれば、一方のハサミ体を略Ｌ字型に屈曲させ、このＬ字の底辺部に載置台を配設させ、他方のハサミ体に刃体を装着させ、ハサミ閉塞時に、刃体の刃先と載置台とが平行となるように、刃体を両ハサミ体の軸支点より下方に位置させて、両ハサミ体を軸支させてあるため、被切断物に刃体の刃先が垂直、かつ平行に当接するため、小さな力で極めて容易、かつ確実に被切断物を切断することができる。
【００７１】
また、ハサミ閉塞時に、刃体の刃先と載置台とを密着させた状態とすることにより、ロープ、ホース等の紐類を切断用として使用することができると共に、刃体の刃先が、載置台に、垂直、かつ平行に当接するように移動するため、小さな力で紐類を切断することができるばかりか、切断面（切り口）がきれい（シャープ）であり、切断した紐類をそのまま使用に供することができ、使用性が極めて良い。
【００７２】
また、一方のハサミ体に配設させた載置台の長さ方向の両側にラベル案内ガイドを配設させ、ハサミ閉塞時に、刃体の刃先と載置台との間に所定間隔を保持させることにより、既存の印刷したラベルの剥離紙またはテープ層のみならず、ポスター等の印刷掲示物を壁面に止着するために使用する両面テープを印刷掲示物に貼付した状態のまま両面テープの剥離紙をも、容易にハーフカットすることができる。
【００７３】
また、製造工程において、一方のハサミ体に載置台を、他方のハサミ体に刃体を、それぞれ仮止めし、ハサミを閉塞させて、刃体の刃先と載置台とを密着状態あるいは所定間隔を保持した状態となるように調整した上、載置台および刃体を各ハサミ体に固定することにより、刃体の刃先と載置台とを確実に密着させた、あるいは保持させた所定間隔の精度、換言すれば切断精度、ハーフカット精度を向上させ、ロープ、ホース等の紐類の切断面（切り口）をきれい（シャープ）に切断することができ、あるいはラベルの剥離紙またはテープ層、両面テープの剥離紙のみを確実、かつ正確にハーフカットすることができる。
【００７４】
さらにまた、仮止めおよび固定（本止め）手段により刃体をハサミ体に固定するため、刃体の交換（替刃）を容易に行うことができる。
【図面の簡単な説明】
【図１】本発明のハーフカット用のハサミを示す正面図。
【図２】同、ハサミの閉塞状態を示す正面図。
【図３】同、背面図。
【図４】同、要部拡大平面図。
【図５】同、刃体の刃先部分を示す拡大正面図。
【図６】下部カバー体を示す、（イ）は正面図、（ロ）は平面図、（ハ）は側面図。
【図７】切断操作工程を示す、内部構造を透過図示した正面図。
【図８】ラベルの剥離紙をハーフカットする状態を示す斜視図。
【図９】ラベルの剥離紙を剥がす状態を示す斜視図。
【図１０】印刷掲示物に貼付された両面テープの剥離紙をハーフカットする状態を示す斜視図。
【図１１】別の例の刃体の刃先部分を示す拡大断面図。
【図１２】紐類の切断面を示す、（イ）は本例の斜視図、（ロ）は従来例の斜視図。
【図１３】載置台の別の例を示す拡大正面図。
【図１４】さらに別の例の刃体の刃先部分を示す拡大断面図。
【符号の説明】
１２  ハサミ体
１４  ハサミ体
１６  底辺部
１８  載置台
２０  刃体
３０  ラベル案内ガイド
３２  下部カバー体
３４  上部カバー体
４４  ラベル
４６  剥離紙
４８  テープ層
５８  紐類
Ｏ  軸支点
ｄ  所定間隔
【図１】
2005000243.tif 000003
【図２】
2005000243.tif 000004
【図３】
2005000243.tif 000005
【図４】
2005000243.tif 000006
【図５】
2005000243.tif 000007
【図６】
2005000243.tif 000008
【図７】
2005000243.tif 000009
【図８】
2005000243.tif 000010
【図９】
2005000243.tif 000011
【図１０】
2005000243.tif 000012
【図１１】
2005000243.tif 000013
【図１２】
2005000243.tif 000014
【図１３】
2005000243.tif 000015
【図１４】
2005000243.tif 000016